(57)【要約】      （修正有）【課題】大きな弧面と噛合面や歯肉乳頭などの小さな隙間とを同時に加工することができ、刃を変える必要がなく、時間と労力を省くことができる義歯研磨ヘッドを提供する。【解決手段】一体に接続された軸部及びブレード部を含む一体型義歯研磨ヘッドであって、ブレード部は一体に接続されたラージヘッド作業部分２及びスモールヘッド作業部分３を含み、ラージヘッド作業部分の外形は主に弧形、円柱形、円錐形のいずれかであり、スモールヘッド作業部分の外形は主に逆梨形、円錐形、円錐形で頭部が球状、円柱形、円柱形で頭部が球状のいずれかである。【選択図】図１
0003235425.tif 000002
【実用新案登録請求の範囲】
【請求項１】
軸部とブレード部を含む一体型義歯研磨ヘッドにおいて、ブレード部は一体に接続されたラージヘッド作業部分及びスモールヘッド作業部分を含み、ラージヘッド作業部分の外形は主に弧形、円柱形、または円錐形のいずれかであり、スモールヘッド作業部分の外形は主に逆梨形、円錐形、円錐形で頭部が球状、円柱形、または円柱形で頭部が球状のいずれかであることを特徴とする、一体型義歯研磨ヘッド。
【請求項２】
ブレード部のラージヘッド及びスモールヘッド作業部分上にはそれぞれ刃が設けられており、ラージヘッド作業部分の刃は、左又は右のみに回転する刃、左右の双方に回転する刃、左又は右のみに回転する刃と左右の双方に回転する刃の組み合わせの中から選択される１種であることを特徴とする、請求項１に記載の一体型義歯研磨ヘッド。
【請求項３】
スモールヘッド作業部分の刃は、左又は右のみに回転する刃、左右の双方に回転する刃、左又は右のみに回転する刃と左右の双方に回転する刃の組み合わせの中から選択される１種であることを特徴とする、請求項２に記載の一体型義歯研磨ヘッド。
【請求項４】
ブレード部のラージヘッド作業部分の刃密度が４〜２００本、スモールヘッド作業部分の刃密度が４〜１００本であることを特徴とする、請求項２または３に記載の一体型義歯研磨ヘッド。
【考案の詳細な説明】
【技術分野】
【０００１】
本考案は口腔医療設備、特に義歯研磨ヘッドに係わる。
【背景技術】
【０００２】
義歯の加工では、総入れ歯、固定入れ歯、着脱可能な部分入れ歯を問わず、すべてに義歯研磨ヘッドを用いる必要がある。義歯研磨ヘッドの種類は多く、大径研磨ヘッドは主に大きな円弧面を研磨するために用いられ、小径研磨ヘッドは主に隙間や歯の噛合面、開孔部、及び大きな研磨ヘッドでは加工できないその他の部分を研磨するために用いられる。そのため、同一の義歯模型を加工するには、大径研磨ヘッドと小径研磨ヘッドを代わる代わる使用する必要があるが、そのような操作では常に刃を交換しなければならず、時間と労力の無駄である。
【０００３】
また、刃を繰り返し交換することで、取り付けに問題が生じやすく、高速回転する研磨ヘッドに振動が生じ、加工の質に影響する。
【考案の概要】
【考案が解決しようとする課題】
【０００４】
本考案は、既存技術の欠陥を克服し、一体型義歯研磨ヘッドを提供することを目的としている。本考案は、大きな弧面と小さな隙間を同時に加工することができ、刃を交換する必要がないので、時間と労力を省くことができる。
【課題を解決するための手段】
【０００５】
本考案の一体型義歯研磨ヘッドは、軸部とブレード部を含み、ブレード部は一体に接続されたラージヘッド作業部分及びスモールヘッド作業部分を含み、ラージヘッド作業部分の外形は主に弧形、円柱形、または円錐形のいずれかであり、スモールヘッド作業部分の外形は主に逆梨形、円錐形、円錐形で頭部が球状、円柱形、または円柱形で頭部が球状のいずれかである。
【０００６】
前記一体型義歯研磨ヘッドにおいて、前記ブレード部のラージヘッド及びスモールヘッド作業部分上にはそれぞれ刃が設けられており、ラージヘッド作業部分の刃は、左又は右のみに回転する刃、左右の双方に回転する刃、左又は右のみに回転する刃と左右の双方に回転する刃の組み合わせ、の中から選択される１種（一つ）である。
【０００７】
前記一体型義歯研磨ヘッドにおいて、スモールヘッド作業部分の刃は、左又は右のみに回転する刃、左右の双方に回転する刃、左又は右のみに回転する刃と左右の双方に回転する刃の組み合わせ、の中から選択される１種（一つ）である。
【０００８】
前記一体型義歯研磨ヘッドにおいて、ブレード部のラージヘッド作業部分の刃密度は４〜２００本、スモールヘッド作業部分の刃密度は４〜１００本である。
【考案の効果】
【０００９】
本考案のブレード部は２つの作業部分を有しており、そのラージヘッド作業部分は主に切削に、スモールヘッド作業部分は主に細かい彫り及び開孔に用いられ、ブレード部のラージヘッド及びスモールヘッド作業部分の刃密度は、実際の使用に応じて自由に組み合わせることができる。また、各種のコーティングを行って、ヘッドの寿命を延ばすこともできる。本考案の研磨ヘッドは鋭利で、跳動が小さく、高速、安全、精確に理想的な研磨効果を実現することができる。
【図面の簡単な説明】
【００１０】
【図１】図１は、本考案の概略図である。
【考案を実施するための形態】
【００１１】
図１に示すように、本考案の一体型義歯研磨ヘッドは軸部１とブレード部を含み、ブレード部は一体に接続されたラージヘッド作業部分２及びスモールヘッド作業部分３を含み、ラージヘッド（大型ヘッド）作業部分の外形は主に弧形、円柱形、または円錐形のいずれかであり、スモールヘッド（小型ヘッド）作業部分の外形は主に逆梨形、円錐形、円錐形で頭部が球状、円柱形、または円柱形で頭部が球状のいずれかであり、図１ではラージヘッド作業部分の外形は弧形であり、スモールヘッド作業部分の外形は逆梨形である。
【００１２】
前記一体型義歯研磨ヘッドにおいて、前記ブレード部のラージヘッド及びスモールヘッド作業部分上にはそれぞれ刃が設けられており、ラージヘッド作業部分の刃は、左又は右のみに回転する刃、左右の双方に回転する刃、左又は右のみに回転する刃と左右の双方に回転する刃の組み合わせ、の中から選択される１種である。
【００１３】
前記一体型義歯研磨ヘッドにおいて、スモールヘッド作業部分の刃は、左又は右のみに回転する刃、左右の双方に回転する刃、左又は右のみに回転する刃と左右の双方に回転する刃の組み合わせ、の中から選択される１種である。前記一体型義歯研磨ヘッドにおいて、前記ブレード部のラージヘッドの刃密度は４〜２００本、スモールヘッドの刃密度は４〜１００本である。
【図１】
0003235425.tif 000003
【手続補正書】
【提出日】令和3年2月8日(2021.2.8)
【手続補正１】
【補正対象書類名】実用新案登録請求の範囲
【補正対象項目名】全文
【補正方法】変更
【補正の内容】
【実用新案登録請求の範囲】
【請求項１】
軸部とブレード部を含む一体型義歯研磨ヘッドにおいて、軸部の先端にブレード部が設けられており、
ブレード部は一体に接続された基端側作業部分及び先端側作業部分を含み、基端側作業部分の外形は弧形、円柱形、または円錐形のいずれかであり、先端側作業部分の外形は、逆梨形、円錐形、円柱形、頭部が球状の円錐形、または頭部が球状の円柱形のいずれかであることを特徴とする、一体型義歯研磨ヘッド。
【請求項２】
ブレード部の基端側及び先端側作業部分上にはそれぞれ刃が設けられており、基端側作業部分の刃は、左又は右のみに回転する刃、左右の双方に回転する刃、左又は右のみに回転する刃と左右の双方に回転する刃の組み合わせの中から選択される１種であることを特徴とする、請求項１に記載の一体型義歯研磨ヘッド。
【請求項３】
先端側作業部分の刃は、左又は右のみに回転する刃、左右の双方に回転する刃、左又は右のみに回転する刃と左右の双方に回転する刃の組み合わせの中から選択される１種であることを特徴とする、請求項２に記載の一体型義歯研磨ヘッド。
【請求項４】
ブレード部の基端側作業部分の刃密度が４〜２００本、先端側作業部分の刃密度が４〜１００本であることを特徴とする、請求項２または３に記載の一体型義歯研磨ヘッド。